(57)【要約】      （修正有）【課題】使用勝手を向上させた箸吸着具を提供する。  【解決手段】箸吸着具１は、壁１０から離間して取り付けられた間隔保持部材１１と、この間隔保持部材１１の壁１０と反対側の面１１ａに取り付けられた磁石１２と、第１の箸１３と、この第１の箸１３に取り付けられた第１の磁性体１３ａと、第２の箸１４と、この第２の箸１４に取り付けられた第２の磁性体１４ａとを備えているものである。【選択図】図２
0003146216.tif 000002
【実用新案登録請求の範囲】
【請求項１】
壁から離間して取り付けられた間隔保持部材と、
この間隔保持部材の前記壁と反対側の面に取り付けられた磁石と、
第1の箸と、
この第1の箸に取り付けられた第1の磁性体と、
第２の箸と、
この第２の箸に取り付けられた第２の磁性体と、
を備えていることを特徴とする箸吸着具。
【請求項２】
壁から離間して取り付けられた間隔保持部材と、
この間隔保持部材の前記壁と反対側に取り付けられた磁石と、
磁性体で形成された第1の箸と、
磁性体で形成された第２の箸と、
を備えていることを特徴とする箸吸着具。
【請求項３】
壁から離間して取り付けられると共に、磁石を有する間隔保持部材と、
第1の箸と、
この第1の箸に取り付けられた第1の磁性体と、
第２の箸と、
この第２の箸に取り付けられた第２の磁性体と、
を備えていることを特徴とする箸吸着具。
【請求項４】
壁から離間して取り付けられると共に、磁石を有する間隔保持部材と、
磁性体で形成された第1の箸と、
磁性体で形成された第２の箸と、
を備えていることを特徴とする箸吸着具。
【請求項５】
第1の磁性体は、第1の箸の先端から遠い側の端部又は第1の箸の先端から遠い側の端部に近い側に取り付けられ、
第２の磁性体は、第２の箸の先端から遠い側の端部又は第２の箸の先端から遠い側の端部に近い側に取り付けられている
ことを特徴とする請求項１又は請求項３記載の箸吸着具。
【考案の詳細な説明】
【技術分野】
【０００１】
本考案は、箸吸着具に係り、特に、使用勝手を向上させた箸吸着具に関する。
【背景技術】
【０００２】
磁石を利用した箸がある（例えば、特許文献１参照）。
これは、一対の箸の後端のそれぞれに磁石を設け、箸の不使用時、磁石により一対の箸が離間しないようにしている。
【０００３】
しかしながら、上記の箸にあっては、食物をつかむために箸先を開くと、磁石が互いに吸着し、箸先が開いたままになる。この状態から、食物をつかむには、力を加えて磁石を離さなければならず、食物をつかみにくという問題点が生じた。
【特許文献１】特開平１１−２０６５４３号公報
【考案の開示】
【考案が解決しようとする課題】
【０００４】
本考案は、上記問題点を除去するようにした箸吸着具を提供することを目的としている。
【課題を解決するための手段】
【０００５】
前記した目的を達成するための本考案の箸吸着具は、壁から離間して取り付けられた間隔保持部材と、この間隔保持部材の前記壁と反対側の面に取り付けられた磁石と、第1の箸と、この第1の箸に取り付けられた第1の磁性体と、第２の箸と、この第２の箸に取り付けられた第２の磁性体とを備えているものである。
【０００６】
また、請求項２記載の箸吸着具は、壁から離間して取り付けられた間隔保持部材と、この間隔保持部材の前記壁と反対側に取り付けられた磁石と、磁性体で形成された第1の箸と、磁性体で形成された第２の箸とを備えているものである。
【０００７】
また、請求項３記載の箸吸着具は、壁から離間して取り付けられると共に、磁石を有する間隔保持部材と、第1の箸と、この第1の箸に取り付けられた第1の磁性体と、第２の箸と、この第２の箸に取り付けられた第２の磁性体とを備えているものである。
【０００８】
また、請求項４記載の箸吸着具は、壁から離間して取り付けられると共に、磁石を有する間隔保持部材と、磁性体で形成された第1の箸と、磁性体で形成された第２の箸とを備えているものである。
【０００９】
また、請求項５記載の箸吸着具は、請求項１又は請求項３記載の箸吸着具において、第1の磁性体は、第1の箸の先端から遠い側の端部又は第1の箸の先端から遠い側の端部に近い側に取り付けられ、第２の磁性体は、第２の箸の先端から遠い側の端部又は第２の箸の先端から遠い側の端部に近い側に取り付けられているものである。
【考案の効果】
【００１０】
請求項１記載の箸吸着具によれば、第1の箸及び第２の箸の不使用時、間隔保持部材に吸着した磁石に第1の箸の第1の磁性体及び第２の箸の第２の磁性体を壁から離間して、第1の箸及び第２の箸を吸着させて、ばらばらにならず取り付けることができ、しかも、衛生的で、更に、第1の箸及び第２の箸の使用時、第1の箸及び第２の箸には、従来のように、箸に磁石を有していないため、第1の箸と第２の箸とが吸着しないため、使用勝手が良い。
【００１１】
また、請求項２記載の箸吸着具によれば、第1の箸及び第２の箸の不使用時、間隔保持部材に吸着した磁石に第1の箸び第２の箸を壁から離間して、第1の箸及び第２の箸を吸着させて、ばらばらにならず取り付けることができ、しかも、衛生的で、更に、第1の箸及び第２の箸の使用時、第1の箸及び第２の箸には、従来のように、箸に磁石を有していないため、第1の箸と第２の箸とが吸着しないため、使用勝手が良い。
【００１２】
また、請求項３記載の箸吸着具によれば、第1の箸及び第２の箸の不使用時、間隔保持部材の磁石に第1の箸の第1の磁性体及び第２の箸の第２の磁性体を壁から離間して、第1の箸及び第２の箸を吸着させて、ばらばらにならず取り付けることができ、しかも、衛生的で、更に、第1の箸及び第２の箸の使用時、第1の箸及び第２の箸には、従来のように、箸に磁石を有していないため、第1の箸と第２の箸とが吸着しないため、使用勝手が良い。
【００１３】
また、請求項４記載の箸吸着具によれば、第1の箸及び第２の箸の不使用時、間隔保持部材の磁石に第1の箸び第２の箸を壁から離間して、第1の箸及び第２の箸を吸着させて、ばらばらにならず取り付けることができ、しかも、衛生的で、更に、第1の箸及び第２の箸の使用時、第1の箸及び第２の箸には、従来のように、箸に磁石を有していないため、第1の箸と第２の箸とが吸着しないため、使用勝手が良い。
【考案を実施するための最良の形態】
【００１４】
本考案の一実施例の箸吸着具を図面を参照して説明する。
図１〜図３において、１は箸吸着具で、箸吸着具１は、壁１０から離間（離間した距離は、例えば、図１に示すｔの寸法である。）して取り付けられた間隔保持部材１１と、この間隔保持部材１１の壁１０と反対側の面１１ａに取り付けられた磁石１２とを備えている。
【００１５】
また、１３は、第1の箸で、１４は、第２の箸で、第1の箸１３と第２の箸１４とで、一対の箸を構成する。１３ａは、磁石１２に吸着される第1の磁性体（例えば、鉄）で、第1の磁性体１３ａは、第1の箸１３の先端から遠い側の端部に取り付けられている。
なお、本願考案にあっては、これに限らず、第1の箸１３の先端から遠い側の端部に近い側に取り付けられていても良い。
【００１６】
また、１４ａは、第1の磁性体１３ａと同様に、磁石１２に吸着される第２の磁性体（例えば、鉄）で、第２の磁性体１４ａは、第２の箸１４の先端から遠い側の端部に取り付けられている。
なお、本願考案にあっては、これに限らず、第２の箸１４の先端から遠い側の端部に近い側に取り付けられていても良い。
【００１７】
従って、第1の箸１３及び第２の箸１４の不使用時、図３に示すように、間隔保持部材１１に吸着した磁石１２に第1の箸１３の第1の磁性体１３ａ及び第２の箸１４の第２の磁性体１４ａを壁１０から離間して、第1の箸１３及び第２の箸１４を吸着させて、ばらばらにならず取り付けることができ、しかも、衛生的で、更に、第1の箸１３及び第２の箸１４の使用時、第1の箸１３及び第２の箸１４には、従来のように、箸に磁石を有していないため、第1の箸１３と第２の箸１４とが吸着しないため、使用勝手が良い。
【００１８】
なお、上述した実施例においては、第1の磁性体１３ａを第1の箸１３に、第２の磁性体１４ａを第２の箸１４に、それぞれ取り付けるようにしたが、本願考案にあっては、これに限らず、図示しないが、第1の箸１３及び第２の箸１４を、それぞれ磁性体で形成するようにしても、上述の実施例と同様な効果を有する。
【００１９】
また、上述した実施例においては、磁石１２を間隔保持部材１１の壁１０と反対側の面１１ａに取り付けたが、本願考案は、これに限らず、磁石１１ｂを有する間隔保持部材１１にも、同様に適用することができる（図４及び図５参照）。
例えば、磁石１１ｂの面を間隔保持部材１１の壁１０と反対側の面１１ａと同一になるように、磁石１１ｂを間隔保持部材１１に内在しても、上述した実施例と同様の効果を有する。
即ち、図４及び図５記載の箸吸着具においては、第1の箸１３及び第２の箸１４の不使用時、間隔保持部材１１の磁石１１ｂに第1の箸１３及び第２の箸１４を壁から離間して、第1の箸１３及び第２の箸１４を吸着させて、ばらばらにならず取り付けることができ、しかも、衛生的で、更に、第1の箸１３及び第２の箸１４の使用時、第1の箸１３及び第２の箸１４には、従来のように、箸に磁石を有していないため、第1の箸と第２の箸とが吸着しないため、使用勝手が良い。
なお、本実施例（図４及び図５）にあっては、上述した実施例（図１乃至図３）と同一部分に同一符号を付して、その説明を一部省略する。
【図面の簡単な説明】
【００２０】
【図１】図１は、本考案の一実施例の箸吸着具を分解して示す概略的断面図である。
【図２】図２は、図１の間隔保持部材に磁石が吸着した状態の概略的断面図である。
【図３】図３は、図２の磁石に第１、第２の箸が吸着した状態の概略的断面図である。
【図４】図４は、図１と異なる他の実施例の箸吸着具の概略的断面図である。
【図５】図５は、図４の磁石に第１、第２の箸が吸着した状態の概略的断面図である。
【符号の説明】
【００２１】
１     …箸吸着具
１０   …壁
１１   …間隔保持部材
１１ａ …反対側の面
１２   …磁石
１３   …第1の箸
１３ａ …第1の磁性体
１４   …第２の箸
１４ａ …第２の磁性体
【図１】
0003146216.tif 000003
【図２】
0003146216.tif 000004
【図３】
0003146216.tif 000005
【図４】
0003146216.tif 000006
【図５】
0003146216.tif 000007